【手続補正書】
【提出日】平成17年8月30日(2005.8.30)
【手続補正１】
【補正対象書類名】明細書
【補正対象項目名】特許請求の範囲
【補正方法】変更
【補正の内容】
【特許請求の範囲】
【請求項１】
回転体の外周部にその回転方向に亘って所定間隔を存し、インボリュート曲線に沿って湾曲配置される複数枚の羽根体を有し、これら複数の羽根体間に形成される羽根溝内に紙葉類を導入させる羽根車と、
前記複数枚の羽根体の根元側にその湾曲方向に向って円弧状に突出成形され前記導入されてくる紙葉類を減速させる突出部と、
この突出部で減速された前記紙葉類の先端部を当接させることにより、前記羽根車から排出させる排出手段と、
この排出手段により排出される紙葉類を集積させる集積部と、
を具備することを特徴とする紙葉類集積装置。
【請求項２】
回転体の外周部にその回転方向に亘って所定間隔を存し、インボリュート曲線に沿って湾曲配置される複数枚の羽根体を有し、これら複数の羽根体間に形成される羽根溝内に紙葉類を導入させて搬送する羽根車と、
前記複数の羽根体の根元側にその湾曲方向に向って円弧状に突出成形され前記導入されてくる紙葉類に対し摩擦力を付与して減速させる突出部と、
この突出部により減速されて搬送されてくる前記紙葉類の先端部を当接させることにより、前記羽根車から排出させる排出手段と、
この排出手段により排出される紙葉類を集積させる集積部と、
を具備し、
前記羽根体のインボリュート基円半径をＲａ、前記突出部の円弧半径をＲｂとしたとき、Ｒａ×１．５≦Ｒｂ≦Ｒａ×２．５の関係を有することを特徴とする紙葉類集積装置。
【請求項３】
回転体の外周部にその回転方向に亘って所定間隔を存し、インボリュート曲線に沿って湾曲配置される複数枚の羽根体を有し、これら複数の羽根体間に形成される羽根溝内に紙葉類を導入させて搬送する羽根車と、
この羽根車の羽根溝内の根元側に嵌め込まれ、前記羽根溝内に挿入されてくる紙葉類の先端部を摺接変形させて摩擦力を付与し減速させる減速手段と、
この減速手段により減速されて搬送されてくる前記紙葉類の先端部を当接させることにより、前記羽根車から排出させる排出手段と、
この排出手段により排出される紙葉類を集積させる集積部と、
を具備することを特徴とする紙葉類集積装置。
【請求項４】
回転体の外周部にその回転方向に亘って所定間隔を存し、インボリュート曲線に沿って湾曲配置される複数枚の羽根体を有し、これら複数の羽根体間に形成される羽根溝内に紙葉類を導入させて搬送する羽根車と、
前記複数の羽根体の根元側にその湾曲方向に向って円弧状に突出成形され、前記導入されてくる紙葉類に対し摩擦力を付与して減速させる突出部と、
前記羽根車の羽根溝内の根元側に嵌め込まれ、前記羽根溝内に挿入されてくる紙葉類の先端部を摺接変形させて摩擦力を付与し減速させる減速手段と、
この減速手段により減速されて搬送されてくる前記紙葉類の先端部を当接させ
ることにより、前記羽根車から排出させる排出手段と、
この排出手段により排出される紙葉類を集積させる集積部と、
を具備することを特徴とする紙葉類集積装置。
【請求項５】
回転体の外周部にその回転方向に亘って所定間隔を存し、インボリュート曲線に沿って湾曲配置される複数枚の羽根体を有し、これら複数の羽根体間に形成される羽根溝内に紙葉類を導入させて搬送する羽根車と、
前記複数の羽根体の根元側にその湾曲方向に向って円弧状に突出成形され前記導入されてくる紙葉類に対し摩擦力を付与して減速させる突出部と、
前記羽根車に同軸的に設けられた円盤部、この円盤部の外周部にその回転方向に亘って所定間隔を存して突設されて前記羽根溝内に入れ子状に嵌め込まれ、前記羽根体間に挿入されてくる紙葉類の先端部を摺接変形させて摩擦力を付与し減速させる減速手段と、
この減速手段により減速されて搬送されてくる前記紙葉類の先端部を当接させ
ることにより前記羽根車から排出させる排出手段と、
この排出手段により排出される紙葉類を集積させる集積部と、
を具備することを特徴とする紙葉類集積装置。
【請求項６】
紙葉類を供給する供給手段と、
この供給手段により供給される紙葉類を搬送する搬送手段と、
回転体の外周部にその回転方向に亘って所定間隔を存し、インボリュート曲線に沿って湾曲配置される複数枚の羽根体を有し、これら複数の羽根体間に形成される羽根溝内に紙葉類を導入させて搬送する羽根車と、
前記複数の羽根体の根元側にその湾曲方向に向って円弧状に突出成形され前記導入されてくる紙葉類に対し摩擦力を付与して減速させる突出部と、
この突出部で減速されて搬送されてくる前記紙葉類の先端部を当接させることにより、前記羽根車から排出させる排出手段と、
この排出手段により排出される紙葉類を集積させる集積部と、
この集積部に集積された紙葉類を結束する結束手段と、
を具備することを特徴とする紙葉類処理装置。
【請求項７】
紙葉類を供給する供給手段と、
この供給手段により供給される紙葉類を搬送する搬送手段と、
回転体の外周部にその回転方向に亘って所定間隔を存し、インボリュート曲線に沿って湾曲配置される複数枚の羽根体を有し、これら複数の羽根体間に形成される羽根溝内に紙葉類を導入させて搬送する羽根車と、
前記複数の羽根体の根元側にその湾曲方向に向って円弧状に突出成形され前記導入されてくる紙葉類に対し摩擦力を付与して減速させる突出部と、
この突出部により減速されて搬送されてくる前記紙葉類の先端部を当接させることにより、前記羽根車から排出させる排出手段と、
この排出手段により排出される紙葉類を集積させる集積部と、
この集積部に集積された紙葉類を結束する結束手段と、
を具備し、
前記羽根体のインボリュート基円半径をＲａ、前記突出部の円弧半径をＲｂとしたとき、Ｒａ×１．５≦Ｒｂ≦Ｒａ×２．５の関係を有することを特徴とする紙葉類処理装置。
【請求項８】
紙葉類を供給する供給手段と、
この供給手段により供給される紙葉類を搬送する搬送手段と、
回転体の外周部にその回転方向に亘って所定間隔を存し、インボリュート曲線に沿って湾曲配置される複数枚の羽根体を有し、これら複数の羽根体間に形成される羽根溝内に紙葉類を導入させて搬送する羽根車と、
この羽根車の羽根溝内の根元側に嵌め込まれ、前記羽根溝内に挿入されてくる紙葉類の先端部を摺接変形させて摩擦力を付与し減速させる減速手段と、
この減速手段により減速されて搬送されてくる前記紙葉類の先端部を当接させることにより、前記羽根車から排出させる排出手段と、
この排出手段により排出される紙葉類を集積させる集積部と、
この集積部に集積された紙葉類を結束する結束手段と、
を具備することを特徴とする紙葉類処理装置。
【請求項９】
紙葉類を供給する供給手段と、
この供給手段により供給される紙葉類を搬送する搬送手段と、
回転体の外周部にその回転方向に亘って所定間隔を存し、インボリュート曲線に沿って湾曲配置される複数枚の羽根体を有し、これら複数の羽根体間に形成される羽根溝内に紙葉類を導入させて搬送する羽根車と、
前記複数の羽根体の根元側にその湾曲方向に向って円弧状に突出成形され、前記導入されてくる紙葉類に対し摩擦力を付与して減速させる突出部と、
前記羽根車の羽根溝内の根元側に嵌め込まれ、前記羽根溝内に挿入されてくる紙葉類の先端部を摺接変形させて摩擦力を付与し減速させる減速手段と、
この減速手段により減速されて搬送されてくる前記紙葉類の先端部を当接させることにより、前記羽根車から排出させる排出手段と、
この排出手段により排出される紙葉類を集積させる集積部と、
この集積部に集積された紙葉類を結束する結束手段と、
を具備することを特徴とする紙葉類処理装置。
【請求項１０】
紙葉類を供給する供給手段と、
この供給手段により供給される紙葉類を搬送する搬送手段と、
回転体の外周部にその回転方向に亘って所定間隔を存し、インボリュート曲線に沿って湾曲配置される複数枚の羽根体を有し、これら複数の羽根体間に形成される羽根溝内に紙葉類を導入させて搬送する羽根車と、
前記複数の羽根体の根元側にその湾曲方向に向って円弧状に突出成形され前記導入されてくる紙葉類に対し摩擦力を付与して減速させる突出部と、
前記羽根車に同軸的に設けられた円盤部、この円盤部の外周部にその回転方向に亘って所定間隔を存して突設されて前記羽根溝内に入れ子状に嵌め込まれ、前記羽根体間に挿入されてくる紙葉類の先端部を摺接変形させて摩擦力を付与し減速させる減速手段と、
この減速手段により減速されて搬送されてくる前記紙葉類の先端部を当接させることにより前記羽根車から排出させる排出手段と、
この排出手段により排出される紙葉類を集積させる集積部と、
この集積部に集積された紙葉類を結束する結束手段と、
を具備することを特徴とする紙葉類処理装置。
【手続補正２】
【補正対象書類名】明細書
【補正対象項目名】００１０
【補正方法】変更
【補正の内容】
【００１０】
【課題を解決するための手段】
本発明は上記課題を解決するため、請求項１記載のものは、回転体の外周部にその回転方向に亘って所定間隔を存し、インボリュート曲線に沿って湾曲配置される複数枚の羽根体を有し、これら複数の羽根体間に形成される羽根溝内に紙葉類を導入させる羽根車と、前記複数枚の羽根体の根元側にその湾曲方向に向って円弧状に突出成形され前記導入されてくる紙葉類を減速させる突出部と、この突出部で減速された前記紙葉類の先端部を当接させることにより、前記羽根車から排出させる排出手段と、この排出手段により排出される紙葉類を集積させる集積部とを具備する。
【手続補正３】
【補正対象書類名】明細書
【補正対象項目名】００１１
【補正方法】変更
【補正の内容】
【００１１】
請求項２記載のものは、回転体の外周部にその回転方向に亘って所定間隔を存し、インボリュート曲線に沿って湾曲配置される複数枚の羽根体を有し、これら複数の羽根体間に形成される羽根溝内に紙葉類を導入させて搬送する羽根車と、前記複数の羽根体の根元側にその湾曲方向に向って円弧状に突出成形され前記導入されてくる紙葉類に対し摩擦力を付与して減速させる突出部と、この突出部により減速されて搬送されてくる前記紙葉類の先端部を当接させることにより、前記羽根車から排出させる排出手段と、この排出手段により排出される紙葉類を集積させる集積部とを具備し、前記羽根体のインボリュート基円半径をＲａ、前記突出部の円弧半径をＲｂとしたとき、Ｒａ×１．５≦Ｒｂ≦Ｒａ×２．５の関係を有する。
【手続補正４】
【補正対象書類名】明細書
【補正対象項目名】００１３
【補正方法】変更
【補正の内容】
【００１３】
請求項４記載のものは、回転体の外周部にその回転方向に亘って所定間隔を存し、インボリュート曲線に沿って湾曲配置される複数枚の羽根体を有し、これら複数の羽根体間に形成される羽根溝内に紙葉類を導入させて搬送する羽根車と、前記複数の羽根体の根元側にその湾曲方向に向って円弧状に突出成形され、前記導入されてくる紙葉類に対し摩擦力を付与して減速させる突出部と、前記羽根車の羽根溝内の根元側に嵌め込まれ、前記羽根溝内に挿入されてくる紙葉類の先端部を摺接変形させて摩擦力を付与し減速させる減速手段と、この減速手段により減速されて搬送されてくる前記紙葉類の先端部を当接させ
ることにより、前記羽根車から排出させる排出手段と、この排出手段により排出される紙葉類を集積させる集積部とを具備する。
【手続補正５】
【補正対象書類名】明細書
【補正対象項目名】００１５
【補正方法】変更
【補正の内容】
【００１５】
請求項６記載のものは、紙葉類を供給する供給手段と、この供給手段により供給される紙葉類を搬送する搬送手段と、回転体の外周部にその回転方向に亘って所定間隔を存し、インボリュート曲線に沿って湾曲配置される複数枚の羽根体を有し、これら複数の羽根体間に形成される羽根溝内に紙葉類を導入させて搬送する羽根車と、前記複数の羽根体の根元側にその湾曲方向に向って円弧状に突出成形され前記導入されてくる紙葉類に対し摩擦力を付与して減速させる突出部と、この突出部で減速されて搬送されてくる前記紙葉類の先端部を当接させることにより、前記羽根車から排出させる排出手段と、この排出手段により排出される紙葉類を集積させる集積部と、この集積部に集積された紙葉類を結束する結束手段とを具備する。
【手続補正６】
【補正対象書類名】明細書
【補正対象項目名】００１６
【補正方法】変更
【補正の内容】
【００１６】
請求項７記載のものは、紙葉類を供給する供給手段と、この供給手段により供給される紙葉類を搬送する搬送手段と、回転体の外周部にその回転方向に亘って所定間隔を存し、インボリュート曲線に沿って湾曲配置される複数枚の羽根体を有し、これら複数の羽根体間に形成される羽根溝内に紙葉類を導入させて搬送する羽根車と、前記複数の羽根体の根元側にその湾曲方向に向って円弧状に突出成形され前記導入されてくる紙葉類に対し摩擦力を付与して減速させる突出部と、この突出部により減速されて搬送されてくる前記紙葉類の先端部を当接させることにより、前記羽根車から排出させる排出手段と、この排出手段により排出される紙葉類を集積させる集積部と、この集積部に集積された紙葉類を結束する結束手段とを具備し、前記羽根体のインボリュート基円半径をＲａ、前記突出部の円弧半径をＲｂとしたとき、Ｒａ×１．５≦Ｒｂ≦Ｒａ×２．５の関係を有する。
【手続補正７】
【補正対象書類名】明細書
【補正対象項目名】００１８
【補正方法】変更
【補正の内容】
【００１８】
請求項９記載のものは、紙葉類を供給する供給手段と、この供給手段により供給される紙葉類を搬送する搬送手段と、回転体の外周部にその回転方向に亘って所定間隔を存し、インボリュート曲線に沿って湾曲配置される複数枚の羽根体を有し、これら複数の羽根体間に形成される羽根溝内に紙葉類を導入させて搬送する羽根車と、前記複数の羽根体の根元側にその湾曲方向に向って円弧状に突出成形され、前記導入されてくる紙葉類に対し摩擦力を付与して減速させる突出部と、前記羽根車の羽根溝内の根元側に嵌め込まれ、前記羽根溝内に挿入されてくる紙葉類の先端部を摺接変形させて摩擦力を付与し減速させる減速手段と、この減速手段により減速されて搬送されてくる前記紙葉類の先端部を当接させることにより、前記羽根車から排出させる排出手段と、この排出手段により排出される紙葉類を集積させる集積部と、この集積部に集積された紙葉類を結束する結束手段とを具備する。